(57)【要約】      （修正有）【課題】運送の材積を低減でき且つ快速な組立を具する椅子を提供する。【解決手段】椅子の間の座クッションの固定ホルダー１及び背当ての支柱２が分離タイプを呈し、その中でも、該座クッションの固定ホルダー１の一端に結合された下側が開放されたロ字形部１２の両側が段落を下向きに伸ばすように斜向き欠け口１２１が凹設され、更に背当ての支柱２に対し、座クッションの固定ホルダー１に対応する一端が一つの軸ロッド２１を突き抜けて固設し、組み立てる時に座クッションの固定ホルダー１に係合でき、該下側が開放されたロ字形部１２の間の斜向き欠け口１２１として入り込む。【選択図】図６
2011024884.tif 000002
【特許請求の範囲】
【請求項１】
運送の材積を低減でき且つ快速な組立を具する椅子は、主として椅子の間の座クッションの固定ホルダー及び背当ての支柱が分離タイプを呈し、その改良は、該座クッションの固定ホルダーの一端に結合された下側が開放されたロ字形部の両側が段落を下向きに伸ばすように欠け口が凹設され、更に背当ての支柱に対し、座クッションの固定ホルダーに対応する一端が一つの軸ロッドを突き抜けて固設し、組み立てる時に座クッションの固定ホルダーに係合でき、該下側が開放されたロ字形部の間の欠け口として入り込み、これにより、該座クッションの固定ホルダーと背当ての支柱が部材の加工を行う時に、簡便な実施を有することにより係合方式の穏やかな位置決めを達成でき、且つ両部材に対し、加工の簡素化により、その製造コストを大幅に低減することにあることを特徴とする、運送の材積を低減でき且つ快速な組立を具する椅子。
【請求項２】
該座クッションの固定ホルダーの一端に結合された下側が開放されたロ字形部の両側が段落を伸ばすように凹設された欠け口は、斜向きに設置されることを特徴とする、請求項１に記載の運送の材積を低減でき且つ快速な組立を具する椅子。
【発明の詳細な説明】
【技術分野】
【０００１】
本発明は、運送の材積を低減でき且つ快速な組立を具する椅子を提供するもので、主として椅子の間の座クッションの固定ホルダーと背当ての支柱が部材の加工を行う時に、簡便な実施を有することにより係合方式の穏やかな位置決めを達成でき、且つ両部材に対し、加工の簡素化により、その製造コストを大幅に低減する。
【背景技術】
【０００２】
故に、目前の椅子製造業者が開発・生産する椅子組立体は、通常に一つの座クッション、一つの足セット、一つの背当て及び左右側の肘かけを含んで構成され、そして座クッション（１０）と背当て（３０）に対する組立体の形態が相当に多くなり、その中の一種は、座クッション（１０）の底部に鎖固された固定ホルダー（２０）と背当て（３０）の後側に鎖固された支柱（４０）が分離式設計を行い（例えば図２）、そして該座クッションを支持する固定ホルダー（２０）の一端が上から下側が開放されたロ字形部（２０１）を下向きに突き抜け、且つ固定ホルダー（２０）の対応する方位に溶接・固定され（例えば図３）、併せて下側が開放されたロ字形部（２０１）の両側から段落を伸ばすスルーホールの間に軸ロッド（２０２）が結合され、且つより溶接・固定することにより固設状態となるが、更に背当てを支持する支柱（４０）に対し、一端に一つの上側が開放されたロ字形部（４０１）が嵌合され、且つ支柱（４０）の対応する交差段落に溶接・固定され（例えば図３）、そして該上側が開放されたロ字形部（４０１）の作用端の両側に斜向き欠け口（４０２）が形成されることにより、座クッションを支持する固定ホルダー（２０）の間の下側が開放されたロ字形部（２０１）の突き抜ける軸ロッド（２０２）に対応して係合できるが、続いて背当てを支持する支柱（４０）の下端に組み立てられた弾性セット（５０）が、一つの上結合部（５０１）、一つの弾性素子（５０２）、一つのパッド（５０３）、一つの下結合部（５０４）と一つのボルト（５０５）を含んで構成され（例えば図３）、該弾性セット（５０）は、支柱（４０）の一端との方位固設を行う必要があり、該ボルト（５０５）により、座クッションを支持する固定ホルダー（２０）および背当てを支持する支柱（４０）の対応する方位の孔（２０３、４０３）を順に突き抜けた後に、弾性セット（５０）を突き抜け且つ固定ホルダー（２０）と支柱（４０）を一体に構成できる（例えば図１）。
【０００３】
そしてこういった座クッションを支持する固定ホルダー（２０）及び背当てを支持する支柱（４０）は、加工・完成した個別な部材の包装を行う時に、分離して解体でき、全ての部材の包装材積を有効に低減するように寄与するが、しかしながら該固定ホルダー（２０）と支柱（４０）の間の組立部材（例えば固定ホルダーの間の下側が開放されたロ字形部の突き抜ける軸ロッド、及び支柱の一端の上側が開放されたロ字形部）は、いずれも方位に溶接・固定する必要があり、且つ該支柱の一端の上側が開放されたロ字形部も金属部を別途に切り取って凹んで折れて成形し且つ斜向き欠け口をプレスして切り出すことを必要とし、固定ホルダーと支柱の加工材料が比較的多くなり、且つ比較的に繁雑な溶接工程を行う必要があり、相対的にその全体のコストに対して比較的に高くなる。
【発明の概要】
【０００４】
本発明は、即ち既存の椅子の座クッションの固定ホルダー及び背当ての支柱が部材の加工を行う上で存在する不便に基づいて改良を行うことにより、該座クッションの固定ホルダーと背当ての支柱が部材の加工を行う時に、簡便な実施を有することにより係合方式の穏やかな位置決めを達成でき、且つ両部材に対し、加工の簡素化により、その製造コストを大幅に低減すると期待する。
【０００５】
本発明の主な目的は、椅子の間の座クッションの固定ホルダー及び背当ての支柱が分離タイプを呈し、その中でも、該座クッションの固定ホルダーの一端に結合された下側が開放されたロ字形部の両側が段落を下向きに伸ばすように斜向き欠け口が凹設され、更に背当ての支柱に対し、座クッションの固定ホルダーに対応する一端が一つの軸ロッドを突き抜けて固設し、組み立てる時に座クッションの固定ホルダーに係合でき、該下側が開放されたロ字形部の間の斜向き欠け口として入り込み、これにより、該座クッションの固定ホルダーと背当ての支柱が部材の加工を行う時に、簡便な実施を有することにより係合方式の穏やかな位置決めを達成でき、且つ両部材に対し、加工の簡素化により、その製造コストを大幅に低減する。
【発明を実施するための形態】
【０００６】
本発明の設計により運送の材積を低減でき且つ快速な組立を具する椅子（例えば図５、図６）は、主として椅子の間の座クッションの固定ホルダー（１）及び背当ての支柱（２）が部材の加工を行う時に、分離タイプを呈し、その中でも、該座クッションの固定ホルダー（１）は、その重心方位の底部に一つの気圧式昇降セット（１１）（ここにある気圧式昇降セットが本発明の訴えの在処ではない）、且つその一端に結合された下側が開放されたロ字形部（１２）の両側が段落を下向きに伸ばすように斜向き欠け口（１２１）が凹設される。
【０００７】
更に背当ての支柱（２）に対し、その座クッションの固定ホルダー（１）に対応する一端が一つの軸ロッド（２１）を突き抜けて固設し、組み立てる時に座クッションの固定ホルダー（１）に係合でき、該下側が開放されたロ字形部（１２）の間の斜向き欠け口（１２１）として入り込む（例えば図４）。
【０００８】
同時に背当ての支柱（２）の水平段落の予定方位に突き抜ける条槽（２２）の底部では、一つの弾性セット（３）が設けられ、該弾性セット（３）が、一つの上結合部（３１）、一つの弾性素子（３２）、一つのパッド（３３）と一つの下結合部（３４）を含んで構成される（例えば図５）。
【０００９】
前述の座クッションの固定ホルダー（１）、背当ての支柱（２）と弾性セット（３）が組立の実施を行う時に（例えば図６）、背当ての支柱（２）の一端に固設された軸ロッド（２１）を、座クッションの固定ホルダー（１）に係合される該下側が開放されたロ字形部（１２）の間の斜向き欠け口（１２１）に対応して入り込み（例えば図４）、更に弾性セット（３）が背当ての支柱（２）の水平段落の突き抜ける条槽（２２）の底部に当接され、併せて一つのボルト（３５）により、座クッションの固定ホルダー（１）、背当ての支柱（２）の対応する孔（１３）、条槽（２２）と弾性セット（３）の中間部位を順に突き抜けて入り込み、且つ下結合部（３４）との方位固設を行い、これにより、ツールを介する必要がなく、快速な組立を一体に達成できる。
【００１０】
更に椅子の間の座クッションの固定ホルダー（１）、背当ての支柱（２）と弾性セット（３）は、販売前の包装実施を行う必要があり（例えば図５）、座クッションの固定ホルダー（１）と背当ての支柱（２）をより解体することにより個別分離状に形成して比較的小さな体積の包装を行うことが出来、併せて座クッションの固定ホルダー（１）と背当ての支柱（２）を介し、部材の加工を行うことが出来、簡便な実施を有することにより係合方式の穏やかな位置決めを達成でき、且つ両部材に対し、加工の簡素化により、その製造コストを大幅に低減する。
【図面の簡単な説明】
【００１１】
【図１】慣用の座クッションの固定ホルダー及び背当ての支柱と弾性セットの側面模式図である。
【図２】慣用の座クッションの固定ホルダー及び背当ての支柱と弾性セットの分解模式図である。
【図３】慣用の座クッションの固定ホルダー及び背当ての支柱と弾性セットの分解斜視模式図である。
【図４】本発明の座クッションの固定ホルダー及び背当ての支柱と弾性セットの側面模式図である。
【図５】本発明の座クッションの固定ホルダー及び背当ての支柱と弾性セットの分解模式図である。
【図６】本発明の座クッションの固定ホルダー及び背当ての支柱と弾性セットの分解斜視模式図である。
【符号の説明】
【００１２】
１  座クッションの固定ホルダー
２  背当ての支柱
３  弾性セット
１０  座クッション
１１  気圧式昇降セット
１２  下側が開放されたロ字形部
１３  孔
２０  固定ホルダー
２１  軸ロッド
２２  条槽
３０  背当て
３１  上結合部
３２  弾性素子
３３  パッド
３４  下結合部
３５  ボルト
４０  支柱
５０  弾性セット
１２１  欠け口
２０１  下側が開放されたロ字形部
２０２  軸ロッド
２０３  孔
４０１  上側が開放されたロ字形部
４０２  斜向き欠け口
４０３  孔
５０１  上結合部
５０２  弾性素子
５０３  パッド
５０４  下結合部
５０５  ボルト
【図１】
2011024884.tif 000003
【図２】
2011024884.tif 000004
【図３】
2011024884.tif 000005
【図４】
2011024884.tif 000006
【図５】
2011024884.tif 000007
【図６】
2011024884.tif 000008